(57)【特許請求の範囲】
【請求項１】
使用者の指令に応じて機能を実行する制御手段と、
電波の送信により無線通信を行う無線通信手段と、
前記無線通信手段による電波の送信を禁止する送信禁止手段と、を有し、
前記送信禁止手段によって電波の送信が禁止されている状態においても、前記制御手段による機能の実行を許容する移動体通信装置において、
前記移動体通信装置の正面部に設けられ、前記使用者の指令に応じた表示を行う第1の表示手段と、
前記移動体通信装置の背面部に設けられ、前記電波の送信が禁止されている状態において、電波の送信が禁止されている旨の表示を、外部に対して行う第２の表示手段と、を備えていることを特徴とする移動体通信装置。
【請求項２】
前記制御手段は、前記送信禁止手段によって電波の送信が禁止されている最中に実行された実行結果を記憶する記憶手段を有し、
前記送信禁止手段による電波の送信の禁止が解除された後に、前記記憶手段に記憶される実行結果に基づいて前記無線通信手段による電波の送信を実行することを特徴とする請求項１に記載の移動体通信装置。
【発明の詳細な説明】
【０００１】
【発明の属する技術分野】
本発明は、無線通信を利用して通信を行う、例えば携帯電話機等の移動体通信装置に関する。
【０００２】
【従来の技術】
近年、無線通信を利用した通信システムが急速に普及しはじめ、例えば携帯電話やページャ等の移動体通信の分野において更なる発展が期待されている。
【０００３】
【発明が解決しようとする課題】
ところで、移動体通信装置の一種である携帯電話機における従来の課題として、次のような課題があった。
【０００４】
一般に、携帯電話機から通信電波が出力されると、飛行機に搭載されている電子機器や医療機器等に悪影響を及ぼす虞があるとして、飛行機内や、病院内、鉄道車両内等の特定の場所での通信が規制されている。
【０００５】
こうした通信規制のなされている場所での通信を行わないようにするためには、携帯電話機の所有者であるユーザー等が、自らの意志で携帯電話機の電源を遮断しておくこととなっている。
【０００６】
つまり、携帯電話機から電波を出力させないための確実な方法として、携帯電話機の電源を遮断状態にしておくことで、完全に通信が行えないようにしておく必要があった。
【０００７】
ところが、近年の携帯電話機は、単に通話を行うための道具ではなく、様々な情報処理機能が付加されている。このため、ユーザー等は、通信規制のなされている場所では通信を行わないが、他の様々な機能を利用したいと欲する場合であっても、電源を遮断してしまうと、通信以外の他の機能を使用することができなくなるという問題があった。
【０００８】
尚、電源を遮断しなくとも、ユーザー等にとって実質的に通信を行えない状態にする機能として、「マナーモード」と呼ばれる機能が備えられた携帯電話機が存在するが、この「マナーモード」は、通信規制に対応し得るものではなかった。
【０００９】
つまり、「マナーモード」の機能は、病院内や飛行機内や混雑する鉄道車両内等で通話を行うと、通話中の声が周囲の他人に聞こえて不快感を与えるといった問題を解消するために設けられているものである。ユーザー等が、自らの判断でその携帯電話機を「マナーモード」の状態に設定しておくと、相手先から電話がかかってきた場合でも、呼出し音（着信音）を鳴らすのを禁止するようになっている。
【００１０】
したがって、「マナーモード」とは、携帯電話機が呼出し音を鳴らすのを禁止するように設定しておくことで、相手先から電話がかかってきてもユーザー等に気付かせないようにするだけの機能であることから、「マナーモード」となっていても携帯電話機からは通信のための電波が出力されてしまい、通信規制に対応し得るものではなかった。
【００１１】
本発明は、こうした従来の問題点に鑑みてなされたものであり、通信規制のなされている場所であっても、通信以外の他の様々な機能を使用することを可能にする、例えば携帯電話機等の移動体通信装置を提供することを目的とする。
【００１２】
【課題を解決する手段】
上記目的を達成するための本発明の移動体通信装置は、使用者の指令に応じて機能を実行する制御手段と、電波の送信により無線通信を行う無線通信手段と、前記無線通信手段による電波の送信を禁止する送信禁止手段と、を有し、前記送信禁止手段によって電波の送信が禁止されている状態においても、前記制御手段による機能の実行を許容する移動体通信装置において、  前記移動体通信装置の正面部に設けられ、前記使用者の指令に応じた表示を行う第1の表示手段と、前記移動体通信装置の背面部に設けられ、前記電波の送信が禁止されている状態において、電波の送信が禁止されている旨の表示を、外部に対して行う第２の表示手段と、を備えていることを特徴とする。
【００１３】
かかる発明によると、通信規制のなされている場所で、通信電波が送出されないように送信禁止の状態に設定した場合でも、通信電波を送出することとなる通信機能以外の他の機能をユーザー等が利用して、本発明の移動体通信装置を使用することを可能にする。
【００１４】
また、本発明の移動体通信装置は、上記制御手段が、上記送信禁止手段によって電波の送信が禁止されている最中に実行された実行結果を記憶する記憶手段を有し、上記送信禁止手段による電波の送信の禁止が解除された後に、上記記憶手段に記憶される実行結果に基づいて上記無線通信手段による電波の送信を実行することを特徴とする。
【００１５】
かかる発明によると、通信規制のなされている場所において、通信電波が送出されないように送信禁止の状態に設定しておいて、様々な機能を予約しておき、送信禁止の状態が解除されたときに、その予約した機能を実行させることができる。このため、ユーザー等の利便性の向上を図ることが可能となる。
【００１６】
また、本発明の移動体通信装置は、上記通信電波の送出が禁止されている際、通信電波の送出が禁止されている旨の表示を、外部に対して行う表示手段が備えられていることを特徴とする。
【００１７】
かかる発明によると、通信電波の送出が禁止されている旨の表示が、外部に対して表示される。このため、通信規制のなされている場所に居る周囲の他人も、本発明の移動体通信装置が通信電波の送出が禁止された状態となっていることを認識することが可能となり、周囲の他人、すなわち第三者に対して安心感を与える等の効果を奏功することが可能である。
【００１８】
【発明の実施の形態】
以下、本発明の実施の形態を図面を参照して説明する。尚、本発明の移動体通信装置の実施形態として、携帯電話機について説明する。
【００１９】
図１は、本携帯電話機１の外観構成を示す図であり、同図（ａ）は携帯電話機１の側面図、同図（ｂ）は携帯電話機１の正面図、同図（ｃ）は携帯電話機１の背面図である。図２は、携帯電話機１に内蔵されている内部回路等の構成を示すブロック図、図３は、携帯電話機１の動作を説明するためのフローチャートである。
【００２０】
携帯電話機１の筐体の上側端部には、図１（ａ）に示すように、移動体通信網に配置されている基地局との間で電波を送受信する送受信アンテナＡＮＴと、第１の通信モード表示部２ａが設けられている。
【００２１】
携帯電話機１の正面部には、図１（ｂ）に示すように、液晶ディスプレイで形成された表示部３と、複数の操作釦スイッチ４を備えて構成された入力部５と、通話の際に音声再生と音声入力を行うためのスピーカ６とマイクロフォン７とが設けられている。尚、複数の操作釦スイッチ４は、ユーザー等が様々な機能を選択するためのファンクションキーと、数字や文字等のデータを入力するためのデータ入力キーとを備えて構成されている。
【００２２】
携帯電話機１の背面部には、図１（ｃ）に示すように、第２の通信モード表示部２ｂと、携帯電話機１を駆動するための電池を収納するための電池収納部８が設けられている。
【００２３】
ここで、表示部３は、ユーザー等の入力部５からの操作に応じて、ユーザー等に様々な機能を提供するためのメニュー表示を行ったり、通信の際に相手先の電話番号やメッセージデータを表示する等のディスプレイ表示を行う。
【００２４】
また、詳細については後述するが、ユーザー等が入力部５に設けられている所定の操作釦キーを操作して、「送信禁止」の指示をすると、表示部３の表示画面の一部分に、携帯電話機１の動作モードが「送信禁止」の状態となっていることを示す表示がなされるようになっている。
【００２５】
図２において、携帯電話機１の筐体の内部には、送受信アンテナＡＮＴで受信した基地局からの電波を受信信号に変換し、更にその受信信号を復調データに復調して中央制御部１１に供給する受信部９と、中央制御部１１から供給される送信用データを送信信号に変調し、アンテナＡＮＴを通じて基地局側へ送信する送信部１０が備えられている。
【００２６】
中央制御部１１は、マイクロプロセッサ（ＭＰＵ）を備えて構成されており、予め設定されている所定のシステムプログラムを実行することにより、本携帯電話機１の全体の動作を集中制御すると共に、予め設定されている所定のアプリケーションプログラムを実行することにより、様々な機能をユーザー等に提供するる。
【００２７】
更に、中央制御部１１には、既述した受信部９と送信部１０が接続される他、送信禁止制御部１２と、半導体メモリ等で形成された記憶部１３と、上記複数の操作釦スイッチ４を備えた入力部５と、第１の通信モード表示部２ａ及び第２の通信モード表示部２ｂと、表示部３とが接続されている。
【００２８】
そして、電池収納部８に収納されている電池からの電力を安定化させて本携帯電話機１を動作させるための所定の電源電圧を生成する電源部１４が備えられている。
【００２９】
ここで、ユーザー等が入力部５の所定の操作釦スイッチを操作して、中央制御部１１に対し「送信禁止」の指示を行うと、中央制御部１１から送信禁止制御部１２へ「送信禁止」の指示がなされ、更に送信禁止制御部１２は、送信制御信号Ｃstpを送信部１０に供給することによって送信処理を禁止させて、送受信アンテナＡＮＴから電波が出力されないようにする。
【００３０】
また、送信禁止制御部１２は、送信制御信号Ｃstpによって送信部１０に送信処理を行わないように設定した後、ユーザー等の指示に従って中央制御部１１から「送信禁止の解除」の指示を受けると、今まで設定されていた「送信禁止」の状態を解除させるための送信制御信号Ｃstpを送信部１０に供給し、それによって、送信部１０が送信処理を行えるように設定する。
【００３１】
尚、本実施形態の送信部１０は、送信制御信号Ｃstpによって「送信禁止」の指示がなされると、電源部８からの電源電圧の供給を遮断することで、自ら送信処理を停止するようになっている。ただし、上記の電源電圧を遮断する場合に限定されるものではなく、送信部１０から送受信アンテナＡＮＴへ送信信号を出力するのを禁止させるべく切換動作をする切替スイッチ回路を、送信部１０と送受信アンテナＡＮＴとの間に設けたり、電源部１４から送信部１０への電源電圧の遮断の有無に関わらず、送信部１０自身の動作を停止させる等の他の手段を講じるようにしてもよい。
【００３２】
第１，第２の通信モード表示部２ａ，２ｂは、中央制御部１１によって制御され、上記の送信制御信号Ｃstpによって送信部１０が「送信禁止」の状態となっている間、点灯表示を行い、送信部１０が送信可能状態となっている間は消灯する。
【００３３】
ここで、第１の通信モード表示部２ａは、高輝度発光ダイオード等のエレクトロルミネッセンス素子で形成されている。また、赤や緑、白色等の様々な色を発光することが可能なカラーエレクトロルミネッセンス素子で形成されている。このため、第１の通信モード表示部２ａは、送信部１０が「送信禁止」の状態となっていること高輝度発光によって、ユーザー等に知らせると共に、周囲の他人にも容易に視認できるようになっている。
【００３４】
第２の通信モード表示部２ｂは、第１の通信モード表示部２ａに較べて発光面積の大きなエレクトロルミネッセンス素子、例えば面発光を行う有機ＥＬ素子等で形成されている。また、赤や緑、白色等の様々な背景色と、その背景色に対して高コントラストの文字や絵柄等を表示することができるようになっている。
【００３５】
例えば、図１（ｃ）に例示するように、送信部１０が「送信禁止」の状態となっている間は、第１の通信モード表示部２ａの表示面の背景部分が白色発光し、その背景の白色に対して高コントラストの得られる例えば黒色の「通信禁止中」の文字が表示される。この結果、送信部１０が「送信禁止」の状態にあることを、周囲の他人にも容易に視認できるようになっている。
【００３６】
特に、第２の通信モード表示部２ｂは、携帯電話機１の背面に設けられているので、ユーザー等が携帯電話機１の正面部（図１（ｂ）参照）に設けられている表示部３を見ながら何らかの操作をしている際に、周囲の他人が第２の通信モード表示部２ｂを見ることができる。このため、ユーザー等が意識していなくとも、「送信禁止」の状態にあることを周囲の他人に知らせることができるようになっている。
【００３７】
また、既述したように携帯電話機１が「送信禁止」の状態となると、中央制御部１１の制御の下で、表示部３の一部分に第２の通信モード表示部２ｂに表示したのと同様の「通信禁止中」等の文字表示がなされ、ユーザー等に提示するようになっている。
【００３８】
次に、図３に示すフローチャートに基づいて、本携帯電話機１の動作を説明する。
【００３９】
本携帯電話機１に設けられている主電源スイッチ（図示省略）をオンにすると、本携帯電話機１は、電源部１４からの電源電圧によって動作を開始する。
【００４０】
ステップＳ１００において、ユーザー等から「送信禁止」の指示がなされているか調べ、「送信禁止」の指示がなされていなければ（「ＮＯ」の場合）、ステップＳ１０２において通常の動作モードを設定して、ステップＳ１００からの処理を繰り返す。つまり、ユーザー等から「送信禁止」の指示がなされていない場合には、本携帯電話機１に備えられてる全ての機能を利用することが可能な通常の動作モードを設定する。
【００４１】
一方、ステップＳ１００において、ユーザー等が入力部５の所定の操作釦キーを操作して「送信禁止」の指示がなされると、ステップＳ１０４に移行して、送信部１０を「送信禁止」の状態に設定する。つまり、ユーザー等が、飛行機内や、病院内や、鉄道車両内等の通信規制のなされている場所で、入力部５の所定の操作釦スイッチ（例えば図１（ｂ）中の「禁止」の印字がなされている操作釦スイッチ）を操作して「送信禁止」の指示を行うと、ステップＳ１０４において、送信部１０を「送信禁止」の状態に設定する。
【００４２】
更に、ステップＳ１０６において、第１の通信モード表示部２ａと第２の通信モード表示部２ｂが点灯し、「送信禁止」の状態となっていることを表示する。
【００４３】
次に、ステップＳ１０８において、ユーザー等によって携帯電話機１に備えられている機能から任意の機能が選択されているか否か調べ、機能選択がなされていない場合（「ＮＯ」の場合）には、ステップＳ１２０へ移行して、ユーザー等によって「送信禁止の解除」の指示がなされたか否か調べ、「送信禁止の解除」の指示がなされていない場合には、ステップＳ１００からの処理を繰り返す。
【００４４】
上記のステップＳ１０８において、ユーザー等によって任意の機能が選択された場合（「ＹＥＳ」の場合）には、ステップＳ１１０に移行して、選択された機能が「通信機能」であるか否か調べ、「通信機能」以外の機能が選択された場合には、ステップＳ１１２に移行してその選択された機能を実行した後、ステップＳ１２０において、ユーザー等によって「送信禁止の解除」の指示がなされていないと判断すると、ステップＳ１００からの処理を繰り返す。
【００４５】
また、上記のステップＳ１１０において、「通信機能」が選択された場合（「ＹＥＳ」の場合）には、ステップＳ１１４に移行して、「送信禁止」の状態となっていることを表示部３にて表示した後、ステップＳ１１６に移行する。
【００４６】
ステップＳ１１６では、表示部３に「送信禁止」の状態であることを表示したのに応じて、ユーザー等から予約の指示がなされたか否か判断し、予約の指示がなされなかった場合（「ＮＯ」の場合）には、「通信機能」を実行することなくステップＳ１２０に移行し、ユーザー等によって「送信禁止の解除」の指示がなされていないと判断すると、ステップＳ１００からの処理を繰り返す。尚、「通信機能」とは、少なくとも機能の実行に通信電波の出力が必要となる機能を言う。
【００４７】
上記のステップＳ１１６において、予約の指示がなされると、ステップＳ１１８へ移行し、ユーザー等から指示された予約内容を予約データとして記憶部１３に記憶させた後、ステップＳ１２０に移行して、ユーザー等によって「送信禁止の解除」の指示がなされていないと判断すると、ステップＳ１００からの処理を繰り返す。
【００４８】
ここで、上記の予約とは、「送信禁止」の状態となっていても、「送信禁止の解除」の状態に設定した後に通信を行うための内容を設定しておく機能であり、図１（ｂ）に示す所定の操作釦スイッチ（例えば、「予約」の印字がなされている操作釦スイッチ）を操作した後、メール送信用の文書データの作成と送信相手のメールアドレスを設定して、再び「予約」の印字がなされている操作釦スイッチを操作すると、その予約データが記憶部１３に記憶される。
【００４９】
また、メール送信だけでなく、メールの発信者のメールアドレスを設定しておく（メール受信の予約）や、通話のための相手先電話番号を予約設定することが可能となっている。
【００５０】
更にまた、メール送信、メール受信、通話等の「通信機能」に関する予約だけでなく、「通信機能」以外の他の機能を予約しておくと、「送信禁止の解除」の状態に設定した後に、その「通信機能」以外の他の機能を実行させることができるようになっている。
【００５１】
ステップＳ１２０において、ユーザー等から「送信禁止の解除」の指示がなされたと判断すると、ステップＳ１２２へ移行して、「送信禁止」の状態にあった送信部１０を送信可能な状態に設定した後、ステップＳ１２４において、第１，第２の通信モード表示部２ａ，２ｂを消灯させると共に、表示部３の「送信禁止」の状態である旨の表示を消灯させて、ステップＳ１２６へ移行する。
【００５２】
つまり、「送信禁止」の状態となっているときに、ユーザー等が上記の「禁止」の印字がなされている操作釦スイッチを操作すると、「送信禁止の解除」の指示を行うことができ、その指示に従って、「送信禁止」の状態にあった送信部１０を送信可能な状態に設定した後、第１，第２の通信モード表示部２ａ，２ｂを消灯させると共に、表示部３の「送信禁止」の状態である旨の表示を消灯させるようになっている。これにより、ユーザー等は、通信規制のなされている場所から退出した際、本携帯電話機１に備えられている全ての機能を利用することが可能な通常の動作モードに設定することが可能となる。
【００５３】
次に、ステップＳ１２６において、記憶部１３中に予約データが記憶されているか調べ、予約データが記憶されていなければステップＳ１００からの処理を繰り返し、予約データが記憶されていれば、ステップＳ１２８に移行して、予約データに応じた処理を実行した後、ステップＳ１００からの処理を繰り返す。
【００５４】
このように本実施形態によれば、「送信禁止」の状態を設定する機能を備えたので、飛行機内や病院内や鉄道車両内等の通信規制のなされている場所で、通信電波の出力を確実に防止することができる。
【００５５】
更に、単に通信電波が出力されてしまうのを防止するだけでなく、「通信機能」を停止させている間でも、「通信機能」以外の他の機能を利用することを可能にするので、ユーザー等の利便性の向上を図ることができる。
【００５６】
更に、「送信禁止」の状態に設定されている間にユーザー等の所望する予約データを記憶し、「送信禁止の解除」後に、予約データに応じた処理を行わせる所謂予約モードを備えるので、ユーザー等の利便性の向上を図ることができる。
【００５７】
更に、「送信禁止」の状態である旨の内容を、表示部３に表示させるだけでなく、第１，第２の通信モード表示部２ａ，２ｂにも表示させるので、ユーザー等のみならず、周囲の他人にも知らせることができる。このため、通信規制のなされている場所で、ユーザー等が「通信機能」以外の他の機能を利用して本携帯電話機１を操作している際、周囲の他人は、第１，第２の通信モード表示部２ａ，２ｂの表示によって、電波が出力されていないと認識することができ、ユーザー等と周囲の他人との両者ともが、安全性の確認を行うことができる等の効果が得られる。
【００５８】
尚、以上の本実施形態では、第１の通信モード表示部２ａと第２の通信モード表示部２ｂとを備えることとしているが、少なくとも一方の通信モード表示部をだけを備えるようにしてもよい。また、周囲の他人が視認し易い場所であれば、第１，第２の通信モード表示部２ａ，２ｂを、図１（ａ）（ｃ）に示した部分以外の部分に設けたり、第１，第２の通信モード表示部２ａ，２のうちの一方を、図１（ａ）（ｃ）に示した部分以外の部分に設けるようにしてもよい。
【００５９】
また、本発明の実施形態として携帯電話機について説明したが、本発明は、ＰＤＡ（Personal Digital Assistannt）等の通信機能を有する情報端末装置や、携帯性を有するナビゲーション装置等の無線通信機能を有する移動体通信装置にも適用することが可能である。
【００６０】
また、第１，第２の通信モード表示部２ａ，２ｂの表示のさせ方や表示内容については、設計仕様等に応じて適宜に設定することが可能な選択事項であり、本発明に含まれるものである。
【００６１】
【発明の効果】
以上に説明したように本発明の移動体通信装置は、通信電波の送出を禁止する送信禁止手段と、送信禁止手段によって通信電波の送出が禁止されている際、通信機能以外の他の機能の実行を許容する制御手段とを備え、通信電波が送出されないように送信禁止の状態に設定した場合でも、通信電波を送出することとなる通信機能以外の他の機能をユーザー等が利用可能にしたので、ユーザー等の利便性を向上させることができる。
【図面の簡単な説明】
【図１】本実施形態の携帯電話機の外観構成を示す図である。
【図２】図１に示した携帯電話機に内蔵されている内部回路等の構成を示すブロック図である。
【図３】本実施形態の携帯電話機の動作を説明するためのフローチャートである。
【符号の説明】
１…携帯電話機
２ａ…第１の通信モード表示部
２ｂ…第２の通信モード表示部
３…表示部
４…操作釦スイッチ
５…入力部
９…受信部
１０…送信部
１１…中央制御部
１２…送信禁止制御部
１３…記憶部
ＡＮＴ…送受信アンテナ
【図１】
0004246404.tif 000002
【図２】
0004246404.tif 000003
【図３】
0004246404.tif 000004